(57)【要約】【課題】脚立・梯子・三脚の脚の接地部分において、濡れた床面や凍結した地面、大きな凸凹の地面・床面や、やや斜めの地面・床面でのグリップ力が大きく、いわゆるスティック・スリップを生じ難く、振動にも強く免震作用もある脚立・梯子・三脚の接地部材と提供する。【解決手段】脚立や梯子の接地部分において、脚立の直角方向に対して軸方向を「ハの字形」または「逆ハの字形」にした一対の回動可能なローラ部材を設け、該ローラ部材が接地して固定した接地部材、および、三脚の接地部分において、三脚の接地地点を結ぶ円の中心から外に向かう直線とは所定の角度を有した回動可能なローラ部材を設け、かつ、該ローラ部材の転がり方向は互いに異なり、該ローラ部材が接地して固定した接地部材である。【選択図】  図１
2004211305.tif 000002
【特許請求の範囲】
【請求項１】
脚立の接地部分において、脚立の直角方向に対して軸方向を「ハの字形」または「逆ハの字形」にした一対の回動可能なローラ部材を設け、該ローラ部材が接地して固定することを特徴とする脚立の接地部材。
【請求項２】
梯子の接地部分において、梯子の直角方向に対して軸方向を「ハの字形」または「逆ハの字形」にした一対の回動可能なローラ部材を設け、該ローラ部材が接地して固定することを特徴とする梯子の接地部材。
【請求項３】
三脚の接地部分において、三脚の接地地点を結ぶ円の中心から外に向かう直線とは所定の角度を有した回動可能なローラ部材を設け、かつ、該ローラ部材の転がり方向は互いに異なり、該ローラ部材が接地して固定することを特徴とする三脚の接地部材。
【発明の詳細な説明】
【０００１】
【発明の属する技術分野】
本発明は、脚立または梯子または三脚において、接地グリップ力を増大させる接地部材の技術分野に属する。
【０００２】
【従来の技術】
従来、脚立・梯子・三脚の足の接地部分はグリップ力を高めるためにゴム部材や、底面が凸凹の角度可変の接地部材などを用いるのが普通である(例えば、特許文献１参照)。
ところで、凍結道路や雪道においては、車両停止時にブレーキ力を増し車輪がスリップしないように、車両の両側の駆動輪を、必要時に進行方向に対して「ハの字形」または「逆ハの字形」にする技術は知られている(例えば、特許文献２、３,４参照)。
【０００３】
【特許文献１】
実公平6-16148号公報
【特許文献２】
実公平1-29165号公報
【特許文献３】
特開昭63-275458号公報
【特許文献４】
特開平1-269647号公報
【０００４】
【発明が解決しようとする課題】
しかしながら、脚立または梯子または三脚の足の接地部分はグリップ力を高めるためにゴム部材や、底面が凸凹の角度可変の接地部材は、濡れた床面や凍結した地面、大きな凸凹の地面・床面や、やや斜めの地面・床面でのグリップ力は大きくなく、しかも二つの面に静摩擦と動摩擦が間欠的に作用して突然滑りが生じる、いわゆるスティック・スリップを生じ易いという欠点があり、特に地震などの振動で一旦滑りはじめると止まらなく危険であるという不都合があった。
本発明は前記問題点に鑑みてなされたものであり、その課題は、脚立・梯子・三脚の脚の接地部分において、濡れた床面や凍結した地面、大きな凸凹の地面・床面や、やや斜めの地面・床面でのグリップ力が大きく、いわゆるスティック・スリップを生じ難く、振動にも強く免震作用もある脚立・梯子・三脚の接地部材を提供することにある。
【０００５】
【課題を解決するための手段】
上記の課題を解決するために、請求項１の発明は、脚立の接地部分において、脚立の直角方向に対して軸方向を「ハの字形」または「逆ハの字形」にした一対の回動可能なローラ部材を設け、該ローラ部材が接地して固定することを特徴とする脚立の接地部材である。
請求項２の発明は、梯子の接地部分において、梯子の直角方向に対して軸方向を「ハの字形」または「逆ハの字形」にした一対の回動可能なローラ部材を設け、該ローラ部材が接地して固定することを特徴とする梯子の接地部材である。
請求項３の発明は、三脚の接地部分において、三脚の接地地点を結ぶ円の中心から外に向かう直線とは所定の角度を有した回動可能なローラ部材を設け、かつ、該ローラ部材の転がり方向は互いに異なり、該ローラ部材が接地して固定することを特徴とする三脚の接地部材である。
【０００６】
【発明の実施の形態】
本発明の脚立兼梯子に適用した１実施例を図面に沿って説明する。
[脚立としての使用の場合]
図１は本実施例の脚立兼梯子１の脚立として使用した場合の全体を示したもので、開閉可能な一対の梯子部２、３と、各梯子部２、３の上端には互いに連結して回動する回動連結部材２１、３１が設けられ、回動軸４によって一対の梯子部２、３が回動し折り畳めるようにするとともに、上端面には折畳み可能な中央踏み台５とが設けられ、各梯子部２、３とのほぼ中間位置には踏み台を兼ねた連結片２２、３２が設けられ、脚立として使用する場合に一対の梯子部２、３を所定の角度に固定する角度固定部材６が設けられている。
そして、一方の梯子部２の下端には一対の接地ローラ７が、他方の梯子部３の下端には一対の接地ローラ８がそれぞれ設けられている。
ここで、接地部材である接地ローラ７、８について図２、３に沿って説明するが、図２おいて、接地ローラ７は一対の「逆ハの字形」にした回動可能なローラ部材７１、７２であり、接地ローラ８は一対の「ハの字形」にした回動可能なローラ部材８１、８２である。
【０００７】
前記接地ローラ７について説明すると、接地ローラ７は一対の「逆ハの字形」にした回動可能なローラ部材７１、７２であり、ローラ部材７１はローラ支持部材711と該ローラ支持部材711はローラ直径よりも大きな幅を有する筒型ローラ712を支持していて、梯子部２の一対の下端を結ぶ線とは−αの角度を有しており、一方ローラ部材７２はローラ部材７１と同様の構成でローラ支持部材721で筒型ローラ722を支持しているが、梯子部２の一対の下端を結ぶ線とはαの角度を有している点で異なり、全体として接地ローラ７は一対の「逆ハの字形」を形成している。そして、各ローラ支持部材711,721は梯子部２の一対の下端に強固に固定されている。
同様に、前記接地ローラ８は、接地ローラ７と面対称であって、接地ローラ８は一対の「ハの字形」にした回動可能なローラ部材８１、８２であり、ローラ部材８１はローラ支持部材811と該ローラ支持部材821はローラ直径よりも大きな幅を有する筒型ローラ812を支持していて、梯子部３の一対の下端を結ぶ線とは下向きに−αの角度を有しており、一方ローラ部材８２はローラ部材８１と同様の構成でローラ支持部材821で筒型ローラ822を支持していているが、梯子部３の一対の下端を結ぶ線とは下向きにαの角度を有している点で異なり、全体として接地ローラ８は一対の「ハの字形」を形成している。そして、各ローラ支持部材811,821は梯子部３の一対の下端に強固に固定されている。
【０００８】
ここで、これらの接地ローラ７，８の作用を説明する。
図３において、上方から人などが中央踏み台５に乗って、下向きに符号Ｆの力が加わった場合に、脚立１の一対の梯子部２、３の下部は、開く方向にそれぞれＦ／２の力が働く。
そこで、接地ローラ７について説明すると、接地ローラ７は一対の「逆ハの字形」にした回動可能なローラ部材７１、７２であるから、ローラ部材７１の筒型ローラ712はＦ／２の方向とは−α外側に移動しようとし、ローラ部材７２の筒型ローラ722はＦ／２の方向とはα外側に移動しようとし、互いに反対方向に移動しようとするからその作用する力は相殺されて、かつグリップ力となって床面に吸着するように固定される。
同様に、接地ローラ８について説明すると、接地ローラ８は一対の「ハの字形」にした回動可能なローラ部材８１、８２であるから、ローラ部材８１の筒型ローラ812はＦ／２の方向とは−α外側に移動しようとし、ローラ部材８２の筒型ローラ822はＦ／２の方向とはα外側に移動しようとし、互いに反対方向に移動しようとするからその作用する力は相殺されて、かつグリップ力となって床面に吸着するように固定される。
以上のように、脚立としての接地ローラ７、８は、濡れた床面や凍結した地面は勿論のこと、接地部分が断面円形のローラであることからどんな斜面にも対応し、大きな凸凹の地面・床面や、やや斜めの地面・床面でのグリップ力が大きく、いわゆるスティック・スリップを生じ難く、なによりも振動に強く免震作用もある脚立となる。
なお、「ハの字形」或いは「逆ハの字形」にするのは上述したように力を相殺するものであるから、αと−αとは同じ角度であるのが、力を相殺するのであれば全く同じ角度でなくてもよい。
【０００９】
[梯子とし使用の場合]
図４は本実施例の脚立兼梯子１の梯子として壁Ｗに立て掛けて使用した場合の側面図であるが、角度固定部材６のロックを解除して、開閉可能な一対の梯子部２、３を回動連結部材２１、３１で開いて直線状態にして、通常の梯子として使用するものである。前述した脚立とは使用状態が異なるだけで構成は同じであるので構成の説明は省略する。
そこで、接地ローラ７，８の作用を説明するが、図４において、人が梯子の踏み台に乗ると、下向にＦの力が働くが、この力Ｆは接地ローラ７では水平方向に力Ｆbとして働き、接地ローラ８では垂直方向に力Ｆaとして働く。
これらの接地ローラ７，８の作動を、図５で説明すると、接地ローラ７は脚立の場合と同様に、一対の「逆ハの字形」にした回動可能なローラ部材７１、７２であるから、ローラ部材７１の筒型ローラ712はＦｂ1の方向とは−α外側に移動しようとし、ローラ部材７２の筒型ローラ722はＦｂ2の方向とはα外側に移動しようとし、互いに反対方向に移動しようとするからその作用する力は相殺されて、かつグリップ力となって床面に吸着するように固定される。
一方、壁Ｗに接地する接地ローラ８について説明すると、接地ローラ８は一対の「ハの字形」にした回動可能なローラ部材８１、８２であるから、ローラ部材８１の筒型ローラ812はＦa1の方向とは−α内側に移動しようとし、ローラ部材８２の筒型ローラ822はＦa2の方向とはα内側に移動しようとし、互いに反対方向に移動しようとするからその作用する力は相殺されて、かつグリップ力となって床面に吸着するように固定される。
したがって、梯子としての接地ローラ７、８は、濡れた床面や凍結した地面は勿論のこと、接地部分が断面円形のローラであることからどんな斜面にも対応し、大きな凸凹の地面・床面や、やや斜めの地面・床面でのグリップ力が大きく、いわゆるスティック・スリップを生じ難く、なによりも振動に強く免震作用もある梯子となる。
【００１０】
[三脚の場合]
この接地部材を前述した脚立や梯子でのグリップ力の増大の作動をカメラなどに用いる三脚に適用したのが、図６〜図８に示す実施例である。
図６において、三脚９はカメラを装着する装着台９１の下面部には３本の伸縮自在の脚部９２、９３、９４が外側に開閉可能に取り付けられ、各脚部９２、９３、９４の下端の接地部分にはキャスタータイプの回動可能なローラ部材921,931,941が設けられている。
これを、上方からの平面図７で説明すると、回動可能なローラ部材921,931,941は、三脚の接地部分(z1,z2,z3)において三脚の接地地点を結ぶ円Ｒの中心から外に向かう直線(x1,x2,x3)とは、転がり方向(y1,y2,y3)が所定の角度(β1,β2,β3)を有したものであって、かつ、図８に示すように、各ローラ部材921,931,941の転がり方向(y1,y2,y3)は互いに異なるように設定されている。そして、各ローラ部材921,931,941の転がり方向(y1,y2,y3)の作用する力は、互いにより相殺するように設定することが好ましい。
このような構成の三脚のローラ部材921,931,941であると、濡れた床面や凍結した地面、大きな凸凹の地面・床面、やや斜めの地面・床面・壁でのグリップ力が大きく、いわゆるスティック・スリップを生じ難く、振動にも強く免震作用もある三脚となる。
【００１１】
なお、本発明の特徴を損なうものでなければ、上記の実施例に限定されるものでないことは勿論であり、本実施例は脚立兼梯子であるが、独立した脚立或いは梯子の単独に用いてよいことは勿論であり、また、脚立や梯子の筒型ローラを「ハの字形」や「逆ハの字形」の構成は適宜に組み合わせて用いても良いことは勿論であり、同様の作用をするものである。
【００１２】
【発明の効果】
以上説明したように、本発明の脚立または梯子または三脚の接地部材は、濡れた床面や凍結した地面は勿論のこと、接地部分が断面円形のローラであることからどんな斜面にも対応し、大きな凸凹の地面・床面や、やや斜めの地面・床面でのグリップ力が大きく、いわゆるスティック・スリップを生じ難く、なによりも振動に強く免震作用を有するという効果がある。
【図面の簡単な説明】
【図１】本発明の１実施例の脚立兼梯子の脚立として使用した斜視図である。
【図２】図１の平面図である。
【図３】図１の側面図である。
【図４】図１の脚立兼梯子の梯子として使用した側面図である。
【図５】図４の平面図である。
【図６】本発明の１実施例の三脚の側面図である。
【図７】図６の平面図である。
【図８】図７の各ローラ部材の転がり方向を説明した説明図である。
【符号の説明】
１…脚立兼梯子
２，３…梯子部、21,31…回動連結部材、22,32…連結片、
４…回動軸、
５…中央踏み台
６…角度固定部材
７，８…接地ローラ、71,72,81,82…ローラ部材、
711,721,811,821…ローラ支持部材、712,722,812,822…筒型ローラ
９…三脚、91…装着台、92,93,94…脚部、921,931,941…ローラ部材
【図１】
2004211305.tif 000003
【図２】
2004211305.tif 000004
【図３】
2004211305.tif 000005
【図４】
2004211305.tif 000006
【図５】
2004211305.tif 000007
【図６】
2004211305.tif 000008
【図７】
2004211305.tif 000009
【図８】
2004211305.tif 000010